(57)【要約】  設計変更プロセス管理装置は、ＣＡＤデータおよびシミュレーションデータなどの設計情報から設計パラメータを抽出し、抽出した設計パラメータを第１の設計変更メタデータとして登録する設計変更メタデータ生成部、第１の設計変更メタデータを登録する設計変更メタデータアーカイブ、登録した第１の設計変更メタデータと設計変更メタデータアーカイブにすでに登録されている第２の設計変更メタデータとの差分から第１の設計変更プロセスデータを生成する設計変更プロセス生成部、生成した第１の設計変更プロセスデータを登録する設計変更プロセスアーカイブ、および、操作者が指定した設計変更と類似する第２の設計変更プロセスデータを設計変更プロセスアーカイブから検索し、検索した第２の設計変更プロセスデータを入出力装置に表示する類似設計変更検索部を有する。
2014038052.tif 000002
【特許請求の範囲】
【請求項１】
ＣＡＤデータおよびシミュレーションデータなどの設計情報から設計パラメータを抽出し、抽出した前記設計パラメータを第１の設計変更メタデータとして登録する設計変更メタデータ生成部、前記第１の設計変更メタデータを登録する設計変更メタデータアーカイブ、登録した前記第１の設計変更メタデータと前記設計変更メタデータアーカイブにすでに登録されている第２の設計変更メタデータとの差分から第１の設計変更プロセスデータを生成する設計変更プロセス生成部、生成した前記第１の設計変更プロセスデータを登録する設計変更プロセスアーカイブ、および、操作者が指定した設計変更と類似する第２の設計変更プロセスデータを前記設計変更プロセスアーカイブから検索し、検索した前記第２の設計変更プロセスデータを入出力装置に表示する類似設計変更検索部を有することを特徴とする設計変更プロセス管理装置。
【請求項２】
請求項１記載の設計変更プロセス管理装置において、前記第１の設計変更メタデータは、少なくともデータの種類、データの名称および値を含むことを特徴とする設計変更プロセス管理装置。
【請求項３】
請求項１記載の設計変更プロセス管理装置において、前記設計変更プロセス生成部は、前記第１の設計変更メタデータと、前記設計変更メタデータアーカイブに登録されている既存の前記第２の設計変更メタデータを比較し、比較結果としての差が最も小さい既存の第３の設計変更メタデータを前記第２の設計変更メタデータから検索し、前記第３の設計変更メタデータを含んでいる第３の設計変更プロセスデータを前記設計変更プロセスアーカイブから検索し、検索された前記第３の設計変更プロセスデータにおける前記第３の設計変更メタデータの子ノードとして前記第１の設計変更メタデータを追加することを特徴とする設計変更プロセス管理装置。
【請求項４】
請求項１記載の設計変更プロセス管理装置において、前記類似設計変更検索部は、前記第１の設計変更メタデータと、前記設計変更メタデータアーカイブに登録されている既存の前記第２の設計変更メタデータを比較し、比較結果としての差が最も小さい第３の設計変更メタデータを前記第２の設計変更メタデータから検索し、前記第３の設計変更メタデータを含んでいる第３の設計変更プロセスデータを前記設計変更プロセスアーカイブから検索し、検索された前記第３の設計変更プロセスデータを前記入出力装置に表示することを特徴とする設計変更プロセス管理装置。
【請求項５】
設計変更メタデータを登録する設計変更メタデータアーカイブ、設計変更プロセスデータを登録する設計変更プロセスアーカイブおよび入出力装置を備えた設計変更プロセス管理装置における設計変更プロセス管理方法であって、前記設計変更プロセス管理装置は、
ＣＡＤデータおよびシミュレーションデータなどの設計情報の設計パラメータを抽出し、抽出した前記設計パラメータを第１の設計変更メタデータとして前記設計変更メタデータアーカイブに登録し、登録した前記第１の設計変更メタデータと前記設計変更メタデータアーカイブに登録されている既存の第２の設計変更メタデータとの差分から第１の設計変更プロセスデータを生成し、生成した前記第１の設計変更プロセスデータを前記設計変更プロセスアーカイブに登録し、操作者が指定した設計変更と類似する第２の設計変更プロセスデータを前記設計変更プロセスアーカイブから検索し、検索した前記第２の設計変更プロセスデータを前記入出力装置に表示することを特徴とする設計変更プロセス管理方法。
【請求項６】
請求項５記載の設計変更プロセス管理方法において、前記第１の設計変更メタデータは、少なくともデータの種類、データの名称および値を含むことを特徴とする設計変更プロセス管理方法。
【請求項７】
請求項５記載の設計変更プロセス管理方法において、前記設計変更プロセス管理装置は、前記第１の設計変更メタデータと、前記設計変更メタデータアーカイブに登録されている既存の前記第２の設計変更メタデータを比較し、比較結果としての差が最も小さい第３の設計変更メタデータを前記第２の設計変更メタデータから検索し、前記第３の設計変更メタデータを含んでいる第３の設計変更プロセスデータを前記設計変更プロセスアーカイブから検索し、検索された前記第３の設計変更プロセスデータにおける前記第３の設計変更メタデータの子ノードとして前記第１の設計変更メタデータを追加することを特徴とする設計変更プロセス管理方法。
【請求項８】
請求項５記載の設計変更プロセス管理方法において、前記設計変更プロセス管理装置は、前記第１の設計変更メタデータと、前記設計変更メタデータアーカイブに登録されている前記第２の設計変更メタデータを比較し、比較結果としての差が最も小さい第３の設計変更メタデータを検索し、前記第３の設計変更メタデータを含んでいる第３の設計変更プロセスデータを前記設計変更プロセスアーカイブから検索し、検索された前記第３の設計変更プロセスデータを前記入出力装置に表示することを特徴とする設計変更プロセス管理方法。
【発明の詳細な説明】
【技術分野】
【０００１】
本発明は、製品設計を支援する装置およびその方法に関わり、特に設計変更時の設計変更プロセスを検索し、可視化する装置およびその方法に関する。
【背景技術】
【０００２】
製品情報を統一的に管理する方法として、製品の設計から製造、販売、保守等の製品ライフサイクル全般にわたる各種の情報を一元的に管理するＰＬＭ(Product Lifecycle Management)システムがある。ＰＬＭシステムでは、製品を構成する各部品のＣＡＤ(Computer Aided Design)データ、これら部品の階層構造を管理しており、またこれらに付随する設計仕様書やシミュレーション結果、実験データ等の関連情報を関連付けて管理している。さらに近年では、製造情報や、調達情報、保守・メンテナンス情報等の製品ライフサイクル全体の製品情報を管理する方法が開発されている。【０００３】
一般的にＰＬＭシステムで管理するデータは試作機や最終製品等のレビューを通過したまたはレビューされた情報が登録される。これは、ＰＬＭに登録される情報の信頼性を確保するためである。一方で、設計変更過程とその根拠を管理することが重要である。例えば、要求仕様に従って、ある部品の設計変更をする際に、元の部品がどのような過程や根拠で、この形状や材料になっているかを把握することは、新設計のアイディア創生や、その検証を早く進めるために必要である。もし知らないと、元の部品の設計過程では不採用となった案と同じような案を検討する、過去の設計案をきっかけとする新設計案に気づかない、などの可能性がある。従来は、元の部品を設計した担当者は同一部署、同一拠点にいることが多く、ヒアリング等で解決することができたが、設計・製造のグローバル展開が進んでいる昨今では、距離や時差、言語の問題で対応が困難である。【０００４】
このように、設計変更過程とその根拠を管理することは重要であるが、設計変更過程の全ての情報の履歴を管理することは現実的ではない。ＣＡＤデータやシミュレーション結果データは１ケースあたり１００ＭＢ〜１ＴＢ程度のディスク容量を必要とするので、１製品あたり１０〜１０００ケース程度の設計案を検討するような、設計業務に適用するためには、膨大なディスク容量が必要になり、適用は難しい。また、このような大規模なデータをグローバルな拠点間で共有することもネットワーク速度の理由で難しい。【０００５】
このような、設計変更過程とその根拠の管理に関する従来の技術としては、過去の変更に関する履歴情報を登録した変更実績データベースを有する変更影響予測装置による変更影響予測方法がある(特許文献１)。また、ＣＡＤで得た配管のレビジョンごとに、配置と仕様のデータを所定の共通データベースに登録し、差異を抽出することでレビジョン間の差異の発見を容易にする方法がある(特許文献２)。また、設計変更の関連情報を記憶し、設計履歴に基づいて、モデルの設計過程をツリー構造で表示する方法がある(特許文献３)
【先行技術文献】
【特許文献】
【０００６】
【特許文献１】特開2012-14308号公報
【特許文献２】特開2008-257510号公報
【特許文献３】特開平05-081355号公報
【発明の概要】
【発明が解決しようとする課題】
【０００７】
しかしながら、上記の技術においては次の課題がある。【０００８】
特許文献１においては、利用者が変更実績データベースに変更内容を意識的に入力しなければならない点が課題である。また、連続的な設計変更に対して、それぞれの設計変更が相互に影響するものについては把握できない。例えば、寸法Ａを大きくすると剛性が上がるが、重量も上がるので、その後、寸法Ｂを小さくすることで、重量の上昇は抑えつつ剛性をあげる、というような一連の操作履歴に基づく設計変更影響を把握することはできない。すなわち、設計変更プロセス(履歴)を考慮していないという課題がある。【０００９】
また、特許文献２においては、差異の抽出はできるものの、その設計変更プロセスおよびその意図について考慮されていないという課題がある。また、差異の情報を検索することもできない。すなわち、類似の設計変更が過去に行われているかを調べることは困難である。【００１０】
また、特許文献３においては、類似する設計変更実績を検索・表示する手段がない。このため利用者が思いついた設計変更アイディアが過去にやられているか、または似たようなアイディアがあるかを調べることはできなかった。また、同一のパラメータを繰返し変更するような設計過程を蓄積および管理することはできない。例えば、寸法Ａを大きくすると剛性が上がったが、重量が上がったので、寸法Ａを少し小さくし、剛性と重量のトレードオフを検討する、という設計過程は蓄積できない。さらにシミュレーションデータを対象にしていないので、シミュレーション結果に基づく設計変更の根拠を管理できないという課題もある。【００１１】
そこで、設計変更プロセスの実績と、その設計変更の根拠を蓄積および管理し、類似の設計変更プロセスを検索し、その設計変更プロセスを表示できる設計変更プロセス管理装置を提供する。
【課題を解決するための手段】
【００１２】
開示する設計変更プロセス管理装置は、ＣＡＤデータおよびシミュレーションデータなどの設計情報から設計パラメータを抽出し、抽出した設計パラメータを第１の設計変更メタデータとして登録する設計変更メタデータ生成部、第１の設計変更メタデータを登録する設計変更メタデータアーカイブ、登録した第１の設計変更メタデータと設計変更メタデータアーカイブにすでに登録されている第２の設計変更メタデータとの差分から第１の設計変更プロセスデータを生成する設計変更プロセス生成部、生成した第１の設計変更プロセスデータを登録する設計変更プロセスアーカイブ、および、操作者が指定した設計変更と類似する第２の設計変更プロセスデータを設計変更プロセスアーカイブから検索し、検索した第２の設計変更プロセスデータを入出力装置に表示する類似設計変更検索部を有する。【００１３】
設計変更プロセス管理装置の他の望ましい態様は、第１の設計変更メタデータは、少なくともデータの種類、データの名称および値を含む。【００１４】
設計変更プロセス管理装置のさらに他の望ましい態様は、設計変更プロセス生成部は、第１の設計変更メタデータと、設計変更メタデータアーカイブに登録されている既存の第２の設計変更メタデータを比較し、比較結果としての差が最も小さい既存の第３の設計変更メタデータを第２の設計変更メタデータから検索し、第３の設計変更メタデータを含んでいる第３の設計変更プロセスデータを設計変更プロセスアーカイブから検索し、検索された第３の設計変更プロセスデータにおける第３の設計変更メタデータの子ノードとして第１の設計変更メタデータを追加する。【００１５】
設計変更プロセス管理装置のさらに他の望ましい態様は、類似設計変更検索部は、第１の設計変更メタデータと、設計変更メタデータアーカイブに登録されている既存の第２の設計変更メタデータを比較し、比較結果としての差が最も小さい第３の設計変更メタデータを第２の設計変更メタデータから検索し、第３の設計変更メタデータを含んでいる第３の設計変更プロセスデータを設計変更プロセスアーカイブから検索し、検索された第３の設計変更プロセスデータを入出力装置に表示する。
【発明の効果】
【００１６】
設計変更プロセスの実績と、その設計変更の根拠を蓄積および管理でき、類似の設計変更プロセスを検索し、その設計変更プロセスを表示できる。
【図面の簡単な説明】
【００１７】
【図１】本設計変更プロセス管理装置の構成図の一例である。
【図２】設計変更メタデータの一例である。
【図３】設計変更プロセスデータの一例である。
【図４】本装置を用いた具体的な実施の一例である。
【図５】本装置を用いた具体的な実施の一例である。
【発明を実施するための形態】
【００１８】
図１は、設計変更プロセス管理装置の一実施例を示す構成図である。設計変更プロセス管理装置は、装置使用者がデータを入力したり表示したりするためのキーボード、ポインティングデバイス、ディスプレイ等からなる入出力装置１００と、ＣＡＤシステムやシミュレーションシステムなどの設計支援システムを用いて設計変更を指示・操作する設計変更操作部１０１と、設計変更後のＣＡＤデータおよびシミュレーションデータなどの設計情報から設計パラメータを抽出し、設計パラメータを設計変更メタデータとして、設計変更メタデータアーカイブ１０３に登録する設計変更メタデータ生成部１０２、利用者が設計変更操作部１０１において設計変更の指示をした際に作成した設計変更メタデータと設計変更メタデータアーカイブ１０３に登録されている既存の設計変更メタデータの差分から設計変更プロセスデータを生成し、設計変更プロセスデータを設計変更プロセスアーカイブ１０５に登録する設計変更プロセスツリー生成部１０４、設計変更操作部１０１で指示された設計変更と類似する設計変更プロセスデータを設計変更プロセスアーカイブ１０５から検索し、検索した設計変更プロセスデータを入出力装置１００に表示する類似設計変更検索部１０６を有する。
【００１９】
なお、設計変更プロセス管理装置は、専用装置として実現するだけでなく、１台のコンピュータにより実現してもよいし、サーバとそれに接続される端末装置によるコンピュータシステムにより実現してもよい。
【００２０】
以下、本発明による処理手順の一例を説明する。
【００２１】
（１）設計変更メタデータ生成部１０２
設計変更メタデータ生成部１０２では、設計変更後のＣＡＤデータおよびシミュレーションデータなどの設計情報から設計パラメータを抽出し、設計パラメータを設計変更メタデータとして、設計変更メタデータアーカイブ１０３に登録する。設計パラメータとは、ＣＡＤデータを例にすると、距離や角度等の寸法や、穴の数、部品の種類などがあり、シミュレーションデータを例にすると、材質や、拘束条件の位置、荷重値、応力、温度などがあり、設計段階で検討するパラメータ全般を示す。設計パラメータとしては、他にも、材料の混合割合や、熱処理の温度や時間、切削加工パスなど、様々である。これらの設計パラメータをＣＡＤデータやシミュレーションデータから抽出し、設計変更メタデータを作成する。
【００２２】
設計変更メタデータのデータ構造は、例えば、データの種類、データの名称、値の３つの変数で管理される。データの種類には、寸法や穴数、拘束条件、応力等の設計パラメータの種類が登録される。データの名称には、設計パラメータの固有名称等の識別子が登録される。値には、設計パラメータの設定値である、寸法や応力などが登録される。尚、本明細書では表現の便宜上「値」と記すが、数に限定しているわけではなく、例えば拘束条件の「値」は、拘束方向を示すベクトルであったり、拘束位置を示す形状要素(面や線、点など)オブジェクトであったりする。また、材質の「値」は、材料の名称を示す文字列であったり、ヤング率や線膨張係数、質量密度等の材料定数データの集合であったりする。図２の２０１に示すＣＡＤデータに対して抽出した設計変更メタデータの一例を図２の２０２に示す。このように作成された設計変更メタデータを設計変更メタデータアーカイブ１０３に登録する。
【００２３】
設計変更操作のたびに、設計変更メタデータを生成することも可能であるが、この生成タイミングは、設計情報の保存時や、利用者が指定する任意のタイミングなどとすることも可能である。
【００２４】
（２）設計変更プロセスツリー生成部１０４
設計変更プロセスツリー生成部１０４では、利用者が設計変更操作部１０１において設計変更の指示をした際に作成した設計変更メタデータと設計変更メタデータアーカイブ１０３に登録されている既存の設計変更メタデータの差分から設計変更プロセスデータを生成し、設計変更プロセスデータを設計変更プロセスアーカイブ１０５に登録する。設計変更プロセスとは、設計変更の履歴を示すデータであり、ツリー構造となる。設計変更プロセスデータの作成手順の一例を説明する。
【００２５】
ＳＴＥＰ１：
設計変更の指示をした際に作成した設計変更メタデータ(以降、設計変更メタデータＡと称する)と、設計変更メタデータアーカイブ１０３に登録されている既存の設計変更メタデータ(以降、設計変更メタデータＢと称する)における変化している設計パラメータを探す。言い換えれば、設計変更メタデータＡと設計変更メタデータＢとを比較し、比較結果としての差分を求める。ここでは、設計変更メタデータＢになく、設計変更メタデータＡにある設計パラメータ(追加)、設計変更メタデータＢにあり、設計変更メタデータＡにない設計パラメータ(削除)、設計変更メタデータＡ，Ｂの両者にあり、値が変わっている設計パラメータ(変更)の３種類の差分を探す。この差分および設計変更メタデータの登録時間の差が最も小さい設計変更メタデータ(以降、設計変更メタデータＺと称する)を設計変更メタデータアーカイブ１０３から探す。
【００２６】
差分に関して詳細に説明する。設計変更に際しては、設計変更前後で、設計パラメータの追加、削除、および変更のいずれかの処理が実行される。同時に、複数の処理が実行されることもあり得るが、複数の処理のいずれにより設計変更の効果が現れたかの評価が困難になるので、一般に一つの処理が実行される。したがって、設計変更メタデータＡを設計変更メタデータＢと比較して、設計パラメータの追加または削除がなく、設計パラメータの変更がある場合は、その設計変更メタデータＢが、差分が最も小さい設計変更メタデータＺとして抽出される。次の段階として、設計変更メタデータＡを設計変更メタデータＢと比較して設計パラメータの追加または削除がある場合は、設計変更メタデータの登録時間の差が最も小さい設計変更メタデータＢが、差分が最も小さい設計変更メタデータＺとして抽出される。
【００２７】
ＳＴＥＰ２：
設計変更プロセスアーカイブ１０５から設計変更メタデータＺを含んでいる設計変更プロセスデータを検索する。
【００２８】
ＳＴＥＰ３：
検索された設計変更プロセスデータにおける設計変更メタデータＺの子ノードとして設計変更メタデータＡを追加する。
【００２９】
設計変更プロセスツリーの作成の一例を図３に示す。本例では、設計変更の指示をした際に作成した設計変更メタデータとして３０１、設計変更メタデータアーカイブとして３０２、設計変更プロセスアーカイブとして３０３が与えられたものとして説明する。設計変更メタデータ３０１と差が最も小さい設計変更メタデータを設計変更メタデータアーカイブ３０２から検索する。この結果、名称「Ｄ４」（４行目）の設計パラメータの値のみが変更となっている３０２−１が検索される。この設計変更メタデータ３０２−１は設計変更プロセス３０３−１に含まれているので、設計変更プロセス３０３−１の設計変更メタデータ３０２−１の子ノードとして設計変更メタデータ３０１を追加する。その結果、設計変更プロセス３０３−１は設計変更プロセス３０４のように変更される。
【００３０】
（３）類似設計変更検索部１０６
類似設計変更検索部１０６では、設計変更操作部１０１で指示された設計変更と類似する設計変更プロセスデータを設計変更プロセスアーカイブ１０５から検索し、検索した設計変更プロセスデータを入出力装置１００に表示する。類似する設計変更プロセスを検索する手順を説明する。ここで類似する設計変更プロセスとは、前述の差分が最も小さい設計変更メタデータＺを含む設計変更プロセスである。
【００３１】
ＳＴＥＰ１、ＳＴＥＰ２： 
ＳＴＥＰ１、ＳＴＥＰ２は、設計変更プロセスツリー生成部１０４のＳＴＥＰ１、ＳＴＥＰ２と同様であるので、説明を省略する。
【００３２】
ＳＴＥＰ３：
検索された設計変更プロセスデデータを入出力装置１００に表示する。類似設計変更検索の一例を図３に示したデータを用いて説明する。設計変更メタデータ３０１と差が最も小さい設計変更メタデータを設計変更メタデータアーカイブ３０２から検索する。この結果、名称「Ｄ４」の設計パラメータの値のみが変更となっている３０２−１が検索される。この設計変更メタデータ３０２−１は設計変更プロセス３０３−１に含まれているので、設計変更プロセス３０３−１が検索に合致する。この設計変更プロセス３０３−１を入出力装置１００に表示する。
【００３３】
図４を用いて、設計変更の具体的な一例と本設計変更プロセス管理装置の動作を説明する。設計変更前の元のＣＡＤデータとして、４０１−１に示すデータが与えられたものとする。また、４０１の設計変更メタデータは４０１−２となる。この元ＣＡＤデータに対して中央の穴にφ30mmのシャフトが通るように設計変更する場合を想定し、以降説明する。
【００３４】
まず、利用者は設計変更操作部１０１により、単純に寸法Ｄ６を30に変更した(４０２−１)。この時点で設計変更メタデータ生成部１０２により４０２−２に示す設計変更メタデータが生成され、設計変更メタデータアーカイブ１０３に登録される。
【００３５】
次に利用者は応力解析を行った(４０３−１)。本例では、この応力解析を行った時の拘束条件と荷重条件、ミーゼスの相当応力の最大値を設計変更メタデータに登録することとする。この結果、本装置は４０３−２に示す設計変更メタデータを生成する。
【００３６】
利用者はこの解析結果を確認したところ、応力が安全範囲になかったとして、剛性向上を検討した。そこで利用者は、寸法Ｄ８(板厚)を4mmから6mmに変更した(４０４−１)。この結果、本装置は４０４−２に示す設計変更メタデータを生成する。続いて、前回と同様に応力解析を行い(４０５−１)、４０３−２に示す設計変更メタデータが生成される。
【００３７】
利用者はこの解析結果を確認したところ、安全ではあるが、重量が増えコストが上がったのでコスト削減を検討した。そこで利用者は、リブ部にカット（寸法Ｄ９）を追加した(４０６−１)。この結果、本装置は４０６−２に示す設計変更メタデータを生成する。
【００３８】
続いて、同様に応力解析を行い(４０７−１)、４０７−２に示す設計変更メタデータが生成される。利用者はこの解析結果を確認したところ、軽量化しすぎて応力が安全範囲を超えたとして、リブ脚部の寸法(Ｄ４)を130mmから80mmに変更した(４０８−１)。この結果、本装置は４０８−２に示す設計変更メタデータを生成する。続いて、同様に応力解析を行い(４０９−１)、４０９−２に示す設計変更メタデータが生成される。
利用者はこの解析結果を確認し、応力も重量(コスト)も問題なしと判断した。
【００３９】
また、それぞれの設計変更時点で設計変更メタデータを生成した後に、設計変更プロセスツリー生成部１０４は順次、設計変更プロセスデデータを生成する。最終的な設計変更プロセスデータは図５に示すようなツリー構造となる。
【００４０】
次に、この設計変更メタデータアーカイブ、および設計変更プロセスデータアーカイブが登録されているものとして、別の利用者が中央の穴にφ28mmのシャフトが通るように設計変更する場合を想定する。利用者は設計変更操作部１０１により、単純に寸法Ｄ６を28に変更した。この時点で本装置は設計変更メタデータを生成し、この設計変更メタデータと類似する設計変更プロセスを類似設計変更検索部１０６により検索する。４０２−１に示した設計変更メタデータが、差が最も小さいとされ、この設計変更メタデータ４０２−１を含む図５に示す設計変更プロセスデータが検索される。類似設計変更検索部１０６では、続いて図５に示す設計変更プロセスデータを入出力装置１００に表示する。尚、本例では設計変更プロセスデータとして、親子ノードでの設計変更メタデータの差分の情報のみを表示しているが、各設計支援システム(ＣＡＤシステムやシミュレーションシステム等)の設計変更時のシステム画面のスクリーンショットを表示してもよい。この場合、設計変更メタデータに設計パラメータとして画面のスクリーンショットを登録しておくと良い。
【００４１】
利用者は、この設計変更プロセスデータを見ることで、例えば以下のことに気づく。
・寸法Ｄ６を変更すると、剛性が下がる
・剛性をあげるためには、以前は寸法Ｄ４を変更した
・軽量化するためには、リブのカットとリブ脚部長の変更を行っている
・リブ脚部長の変更の方が応力を低く抑えることができる
この結果、利用者は過去の設計変更の実績から設計案に気づき、また以前は不採用になった設計案を再び検討するような重複検討を抑制できる。
【００４２】
以上説明したように、設計変更プロセス管理装置は、設計変更プロセスの実績と、その設計変更の根拠を蓄積し、管理することが可能である。また、蓄積された設計変更プロセスから、類似の設計変更プロセスを検索し、その設計変更プロセスを表示できる。
【符号の説明】
【００４３】
１００：入出力装置、１０１：設計変更操作部、１０２：設計変更メタデータ生成部、１０３：設計変更メタデータアーカイブ、１０４：設計変更プロセスツリー生成部、１０５：設計変更プロセスアーカイブ、１０６：類似設計変更検索部。
【図１】
2014038052.tif 000003
【図２】
2014038052.tif 000004
【図３】
2014038052.tif 000005
【図４】
2014038052.tif 000006
【図５】
2014038052.tif 000007
【手続補正書】
【提出日】平成27年11月26日(2015.11.26)
【手続補正１】
【補正対象書類名】特許請求の範囲
【補正対象項目名】全文
【補正方法】変更
【補正の内容】
【特許請求の範囲】
【請求項１】
ＣＡＤデータおよびシミュレーションデータなどの設計情報から設計パラメータを抽出し、抽出した前記設計パラメータを第１の設計変更メタデータとして、複数の第２の設計変更メタデータが登録される設計変更メタデータアーカイブに登録する設計変更メタデータ生成部、登録した前記第１の設計変更メタデータと前記第２の設計変更メタデータとの差分から第１の設計変更プロセスデータを生成し、複数の第２の設計変更プロセスデータが登録される設計変更プロセスアーカイブに登録する設計変更プロセス生成部、および、操作者が指定した設計変更と類似する設計変更を含む第３の設計変更プロセスデータを前記設計変更プロセスアーカイブから検索し、検索した前記第３の設計変更プロセスデータを入出力装置に表示する類似設計変更検索部を有することを特徴とする設計変更プロセス管理装置。
【請求項２】
請求項１記載の設計変更プロセス管理装置において、前記第１の設計変更メタデータは、少なくともデータの種類、データの名称および値を含むことを特徴とする設計変更プロセス管理装置。
【請求項３】
請求項１記載の設計変更プロセス管理装置において、前記設計変更プロセス生成部は、前記第１の設計変更メタデータと、複数の前記第２の設計変更メタデータを比較し、比較結果としての差が最も小さい既存の第３の設計変更メタデータを前記第２の設計変更メタデータから検索し、前記第３の設計変更メタデータを含んでいる前記第３の設計変更プロセスデータを前記設計変更プロセスアーカイブから検索し、検索された前記第３の設計変更プロセスデータにおける前記第３の設計変更メタデータの子ノードとして前記第１の設計変更メタデータを追加することを特徴とする設計変更プロセス管理装置。
【請求項４】
請求項１記載の設計変更プロセス管理装置において、前記類似設計変更検索部は、前記第１の設計変更メタデータと、複数の前記第２の設計変更メタデータを比較し、比較結果としての差が最も小さい第３の設計変更メタデータを前記第２の設計変更メタデータから検索し、前記第３の設計変更メタデータを含んでいる前記第３の設計変更プロセスデータを前記設計変更プロセスアーカイブから検索し、検索された前記第３の設計変更プロセスデータを前記入出力装置に表示することを特徴とする設計変更プロセス管理装置。
【請求項５】
入出力装置を備えた設計変更プロセス管理装置における設計変更プロセス管理方法であって、前記設計変更プロセス管理装置は、
ＣＡＤデータおよびシミュレーションデータなどの設計情報の設計パラメータを抽出し、抽出した前記設計パラメータを第１の設計変更メタデータとして、複数の第２の設計変更メタデータが登録される設計変更メタデータアーカイブに登録し、登録した前記第１の設計変更メタデータと前記第２の設計変更メタデータとの差分から第１の設計変更プロセスデータを生成し、生成した前記第１の設計変更プロセスデータを、複数の第２の設計変更プロセスデータが登録される設計変更プロセスアーカイブに登録し、操作者が指定した設計変更と類似する設計変更を含む第３の設計変更プロセスデータを前記設計変更プロセスアーカイブから検索し、検索した前記第３の設計変更プロセスデータを前記入出力装置に表示することを特徴とする設計変更プロセス管理方法。
【請求項６】
請求項５記載の設計変更プロセス管理方法において、前記第１の設計変更メタデータは、少なくともデータの種類、データの名称および値を含むことを特徴とする設計変更プロセス管理方法。
【請求項７】
請求項５記載の設計変更プロセス管理方法において、前記設計変更プロセス管理装置は、前記第１の設計変更メタデータと、複数の前記第２の設計変更メタデータを比較し、比較結果としての差が最も小さい第３の設計変更メタデータを前記第２の設計変更メタデータから検索し、前記第３の設計変更メタデータを含んでいる前記第３の設計変更プロセスデータを前記設計変更プロセスアーカイブから検索し、検索された前記第３の設計変更プロセスデータにおける前記第３の設計変更メタデータの子ノードとして前記第１の設計変更メタデータを追加することを特徴とする設計変更プロセス管理方法。
【請求項８】
請求項５記載の設計変更プロセス管理方法において、前記設計変更プロセス管理装置は、前記第１の設計変更メタデータと、複数の前記第２の設計変更メタデータを比較し、比較結果としての差が最も小さい第３の設計変更メタデータを検索し、前記第３の設計変更メタデータを含んでいる前記第３の設計変更プロセスデータを前記設計変更プロセスアーカイブから検索し、検索された前記第３の設計変更プロセスデータを前記入出力装置に表示することを特徴とする設計変更プロセス管理方法。
【手続補正２】
【補正対象書類名】明細書
【補正対象項目名】００１２
【補正方法】変更
【補正の内容】
【００１２】
開示する設計変更プロセス管理装置は、ＣＡＤデータおよびシミュレーションデータなどの設計情報から設計パラメータを抽出し、抽出した設計パラメータを第１の設計変更メタデータとして、複数の第２の設計変更メタデータが登録される設計変更メタデータアーカイブに登録する設計変更メタデータ生成部、登録した第１の設計変更メタデータと設計変更メタデータアーカイブにすでに登録されている第２の設計変更メタデータとの差分から第１の設計変更プロセスデータを生成し、複数の第２の設計変更プロセスデータが登録される設計変更プロセスアーカイブに登録する設計変更プロセス生成部、および、操作者が指定した設計変更と類似する第３の設計変更プロセスデータを設計変更プロセスアーカイブから検索し、検索した第３の設計変更プロセスデータを入出力装置に表示する類似設計変更検索部を有する。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
ＣＡＤデータおよびシミュレーションデータなどの設計情報から設計パラメータを抽出し、抽出した前記設計パラメータを第１の設計変更メタデータとして登録する設計変更メタデータ生成部、前記第１の設計変更メタデータを登録する設計変更メタデータアーカイブ、登録した前記第１の設計変更メタデータと前記設計変更メタデータアーカイブにすでに登録されている第２の設計変更メタデータとの差分から第１の設計変更プロセスデータを生成する設計変更プロセス生成部、生成した前記第１の設計変更プロセスデータを登録する設計変更プロセスアーカイブ、および、操作者が指定した設計変更と類似する設計変更を含む第２の設計変更プロセスデータを前記設計変更プロセスアーカイブの前記第１の設計変更プロセスデータから検索し、検索した前記第２の設計変更プロセスデータを入出力装置に表示する類似設計変更検索部を有することを特徴とする設計変更プロセス管理装置。
【請求項２】
請求項１記載の設計変更プロセス管理装置において、
前記第１の設計変更メタデータは、少なくともデータの種類、データの名称および値を含むことを特徴とする設計変更プロセス管理装置。
【請求項３】
請求項１記載の設計変更プロセス管理装置において、
前記設計変更プロセス生成部は、前記第１の設計変更メタデータと、複数の前記第２の設計変更メタデータを比較し、比較結果としての差が最も小さい前記第２の設計変更メタデータを検索し、検索した前記第２の設計変更メタデータを含んでいる第２の設計変更プロセスデータを前記設計変更プロセスアーカイブから検索し、検索された前記第２の設計変更プロセスデータにおける前記第２の設計変更メタデータの子ノードとして前記第１の設計変更メタデータを追加することを特徴とする設計変更プロセス管理装置。
【請求項４】
請求項１記載の設計変更プロセス管理装置において、
前記類似設計変更検索部は、前記第１の設計変更メタデータと、複数の前記第２の設計変更メタデータを比較し、比較結果としての差が最も小さい前記第２の設計変更メタデータを検索し、検索した前記第２の設計変更メタデータを含んでいる第２の設計変更プロセスデータを前記設計変更プロセスアーカイブから検索し、検索された前記第２の設計変更プロセスデータを前記入出力装置に表示することを特徴とする設計変更プロセス管理装置。
【請求項５】
設計変更メタデータを登録する設計変更メタデータアーカイブ、設計変更プロセスデータを登録する設計変更プロセスアーカイブおよび入出力装置を備えた設計変更プロセス管理装置における設計変更プロセス管理方法であって、前記設計変更プロセス管理装置は、
ＣＡＤデータおよびシミュレーションデータなどの設計情報の設計パラメータを抽出し、抽出した前記設計パラメータを第１の設計変更メタデータとして前記設計変更メタデータアーカイブに登録し、登録した前記第１の設計変更メタデータと前記設計変更メタデータアーカイブに登録されている既存の第２の設計変更メタデータとの差分から第１の設計変更プロセスデータを生成し、生成した前記第１の設計変更プロセスデータを前記設計変更プロセスアーカイブに登録し、操作者が指定した設計変更と類似する設計変更を含む第２の設計変更プロセスデータを前記設計変更プロセスアーカイブの前記第１の設計変更プロセスデータから検索し、検索した前記第２の設計変更プロセスデータを前記入出力装置に表示することを特徴とする設計変更プロセス管理方法。
【請求項６】
請求項５記載の設計変更プロセス管理方法において、前記第１の設計変更メタデータは、少なくともデータの種類、データの名称および値を含むことを特徴とする設計変更プロセス管理方法。
【請求項７】
請求項５記載の設計変更プロセス管理方法において、前記設計変更プロセス管理装置は、前記第１の設計変更メタデータと、複数の前記第２の設計変更メタデータを比較し、比較結果としての差が最も小さい前記第２の設計変更メタデータを検索し、検索した前記第２の設計変更メタデータを含んでいる第２の設計変更プロセスデータを前記設計変更プロセスアーカイブから検索し、検索された前記第２の設計変更プロセスデータにおける前記第２の設計変更メタデータの子ノードとして前記第１の設計変更メタデータを追加することを特徴とする設計変更プロセス管理方法。
【請求項８】
請求項５記載の設計変更プロセス管理方法において、前記設計変更プロセス管理装置は、前記第１の設計変更メタデータと、複数の前記第２の設計変更メタデータを比較し、比較結果としての差が最も小さい前記第２の設計変更メタデータを検索し、検索した前記第２の設計変更メタデータを含んでいる第２の設計変更プロセスデータを前記設計変更プロセスアーカイブから検索し、検索された前記第２の設計変更プロセスデータを前記入出力装置に表示することを特徴とする設計変更プロセス管理方法。
【手続補正２】
【補正対象書類名】明細書
【補正対象項目名】００１２
【補正方法】変更
【補正の内容】
【００１２】
開示する設計変更プロセス管理装置は、ＣＡＤデータおよびシミュレーションデータなどの設計情報から設計パラメータを抽出し、抽出した設計パラメータを第１の設計変更メタデータとして登録する設計変更メタデータ生成部、第１の設計変更メタデータを登録する設計変更メタデータアーカイブ、登録した第１の設計変更メタデータと設計変更メタデータアーカイブにすでに登録されている第２の設計変更メタデータとの差分から第１の設計変更プロセスデータを生成する設計変更プロセス生成部、生成した第１の設計変更プロセスデータを登録する設計変更プロセスアーカイブ、および、操作者が指定した設計変更と類似する設計変更を含む第２の設計変更プロセスデータを設計変更プロセスアーカイブの第１の設計変更プロセスデータから検索し、検索した第２の設計変更プロセスデータを入出力装置に表示する類似設計変更検索部を有する。
【国際調査報告】
2014038052.tif 000008
2014038052.tif 000009
2014038052.tif 000010
2014038052.tif 000011